(57)【要約】      （修正有）【課題】Ｘ線管焦点と被写体またはＸ線検出部との距離を測定する際に、術者および被検者の負担を軽減するＸ線撮影装置を提供する。【解決手段】コリメータに付属した巻尺に、Ｘ線管の焦点から巻尺の取付位置までの距離に相当する寸法を削除したオフセット目盛と、巻尺の先端がゼロから始まる実寸目盛を表示する。【選択図】図１
0003177838.tif 000002
【実用新案登録請求の範囲】
【請求項１】
Ｘ線を照射するＸ線管と、前記Ｘ線管の照射側前面に保持されたコリメータと、前記コリメータに取り付けられた測長用の巻尺と、からなるＸ線撮影装置において、前記巻尺の目盛帯に、前記Ｘ線管の焦点から前記巻尺の取付位置までの距離に相当する寸法を目盛帯先端から削除したオフセット目盛と、前記目盛帯の先端がゼロから始まる実寸目盛を表示したことを特徴とするＸ線撮影装置。
【請求項２】
前記オフセット目盛と実寸目盛を、前記目盛帯の同じ面に表示したことを特徴とする請求項１に記載のＸ線撮影装置。
【請求項３】
前記オフセット目盛を、前記目盛帯の一方の面に表示し、前記実寸目盛を前記目盛帯の他方の面に表示したことを特徴とする請求項１に記載のＸ線撮影装置。
【請求項４】
前記オフセット目盛と実寸目盛を、字体または文字サイズまたは文字色の少なくともいずれか１つに違いを付けて表示したことを特徴とする請求項１から３のいずれか１項に記載のＸ線撮影装置。
【考案の詳細な説明】
【技術分野】
【０００１】
本考案は、Ｘ線撮影装置に関する。
【背景技術】
【０００２】
図５は、従来のＸ線撮影装置の概要を示したものである。Ｘ線撮影装置２１は、Ｘ線管焦点２３ａを有するＸ線管２３を懸架するＸ線管懸架装置２２と、Ｘ線管２３の前面に取り付けられたコリメータ２４と、Ｘ線管２３の下方に設置されるとともに被検体２５を載架する検診台２６と、被検体２５を透過したＸ線の画像を得るＸ線検出器２７と、コリメータ２４に取り付けられた測長用の巻尺２８から構成される。
【０００３】
Ｘ線撮影では、照射時間・管電流値等の撮影条件設定のため、Ｘ線管焦点２３ａから被検体２５の表面までの距離を把握する必要がある。そのためコリメータには、巻尺２８が取り付けられており、Ｘ線管焦点２３ａから被検体表面までの距離またはＸ線検出器表面までの距離が測定される。巻尺２８の目盛帯２９は、Ｘ線管焦点２３ａの位置と巻尺２８の取付部位２８ａ間の距離に相当する寸法を相殺するため目盛帯の先端部分が切断されている。なお、特許文献１には、巻尺の取付状態が表示されている。
【０００４】
また、Ｘ線撮影では、図５に示すごとく被検体２５の各部は実際の大きさより拡大されて撮影される。そのため、「実際の関心部位」の大きさＲを知るために拡大率βの算出を行う。「Ｘ線管焦点２３ａと関心部位３０間」の距離Ｍと「Ｘ線管焦点２３ａとＸ線検出器２７表面間」の距離Ｎの比が拡大率βである。拡大率βと「撮影画像上の関心部位」の大きさＴを用いることで「実際の関心部位」の大きさＲが算出される。
すなわち、β＝Ｎ／Ｍ
Ｒ＝Ｔ／β  となる。
ただし、距離ＭまたはＮはＸ線管焦点２３ａから検診台２６またはＸ線検出器２７表面に対して垂直な方向の寸法である。
【０００５】
図６は、従来のＸ線撮影装置による拡大率算出のための距離の測定状態を示したものである。まず、巻尺２８の目盛帯２９ａを引き出して先端２９ｃを検診台２６に当接させた状態で、引き出された目盛帯２９ａから取付部位２８ａの位置の目盛を読み取る。この読み取り値が「Ｘ線管焦点２３ａと検診台２６表面間」の距離であり、その距離から定規で測定した「関心部位高さ」Ｆを引き算した距離Ｕが「Ｘ線管焦点２３ａと関心部位３０間」の距離である。
【０００６】
次に、目盛帯２９ｂを引き出して先端２９ｃをＸ線検出器に当接させた状態で、引き出された目盛帯２９ｂから取付部位２８ａの位置の目盛を読み取ることにより「Ｘ線管焦点２３ａとＸ線検出器２７表面間」の距離Ｖを読み取ることができる。この際、目盛帯２９ａおよび目盛帯２９ｂは、目測でほぼ垂直に引き出されるが、実際には傾斜が発生するため傾斜を誇張して表示している。なお、目盛帯２９ａおよび目盛帯２９ｂは、図６に示すごとく同時に引き出されることはないが、２つの測定状態を比較できるように同一の図に表示している。
【０００７】
「Ｘ線管焦点２３ａと関心部位３０間」の距離Ｕ、および「Ｘ線管焦点２３ａとＸ線検出器２７表面間」の距離Ｖは、それぞれ傾斜した目盛帯２９ａおよび目盛帯２９ｂに沿って測定した「巻尺の取付部位２８ａと検診台２６表面間」の距離ｓおよび「巻尺の取付部位２８ａとＸ線検出器２７表面間」の距離ｋを含んでいる。傾斜した目盛帯に沿って測定した距離ｓおよびｋを含む距離ＵとＶの比として求めた拡大率をβ'とし、拡大率β'および「撮影画像上の関心部位」の大きさＹから「実際の関心部位」の大きさＷが求められる。
Ｕ＝Ｇ＋（ｓ−Ｆ）
Ｖ＝Ｇ＋ｋ
β'＝Ｖ／Ｕ
Ｗ＝Ｙ／β'  となる。
【０００８】
また、特許文献２には、巻尺から引き出された目盛帯の先端にレーザ発光部を設けた配管設備の水平高さ位置決め器が開示されている。
【先行技術文献】
【特許文献】
【０００９】
【特許文献１】特開２００９−１８２０８号公報
【特許文献２】特開平１１−１４３４９号公報
【考案の概要】
【考案が解決しようとする課題】
【００１０】
図５に示すとおり、従来のコリメータに取り付けた巻尺２８の目盛帯２９は、Ｘ線管焦点２３ａと巻尺の取付部位２８ａの距離に相当する寸法を目盛帯先端から削除したものである。例えば、検診台２６からの距離である「関心部位高さ」Ｆを測定する場合には、巻尺２８から目盛帯２９を引き出し、先端２９ｃを検診台２６に当接させて「関心部位」の目盛を読み取り、その読み取り値から「Ｘ線管焦点２３ａと巻尺の取付部位２８ａ」の距離Ｇを引き算して「関心部位高さ」Ｆを算出する必要がある。
【００１１】
操作者に目盛の読み取り、および暗算等の計算をさせることは操作者の負担となり、さらに間違いが発生する恐れがあった。そのため、コリメータ付属の巻尺２８を使用せず、別の測定器具を使用することが行われていた。したがって、定規の用意のために装置や被検体から離れる手間を省くことによって術者の負担を軽減させ、撮影準備時間の短縮によって被検者の負担を軽減させることが課題である。
【００１２】
また、図６に示すとおり、拡大率算出時には、巻尺２８の目盛帯２９ａまたは目盛帯２９ｂを引き出して、前記２距離が個別に測定される。それぞれ個別に測定されるため、それぞれの目盛帯の傾斜が一致することはありえず、したがって、目盛帯２９の傾斜は異なり、前記傾斜によって拡大率に誤差が生じる。この拡大率の誤差を低減させることが課題である。
【課題を解決するための手段】
【００１３】
上記の課題を解決するために、本考案は、Ｘ線を照射するＸ線管と、前記Ｘ線管の照射側前面に保持されたコリメータと、前記コリメータに取り付けられた測長用の巻尺と、からなるＸ線撮影装置において、前記巻尺の目盛帯に、前記Ｘ線管の焦点から前記巻尺の取付位置までの距離に相当する寸法を目盛帯先端から削除したオフセット目盛と、前記目盛帯の先端がゼロから始まる実寸目盛を表示したものである。
【００１４】
本考案は、前記オフセット目盛と実寸目盛を、前記目盛帯の同じ面に表示することが好適である。
【００１５】
また、前記オフセット目盛を、前記目盛帯の一方の面に表示し、前記実寸目盛を前記目盛帯の他方の面に表示してもよい。
【００１６】
さらに、前記オフセット目盛と実寸目盛を、字体または文字サイズまたは文字色の少なくともいずれか１つに違いを付けて表示することもできる。
【考案の効果】
【００１７】
本考案により「関心部位高さ」の測定が一つの巻尺で一度に行うことができる。したがって、別の測定器具の用意のため装置及び被検体から離れる手間が省け術者の負担が軽減し、撮影準備時間の短縮により被検者の負担も軽減する。
【００１８】
一度巻尺を伸ばすことにより「オフセット目盛」で「Ｘ線管焦点とＸ線検出器表面間」の距離を読み取ることができるとともに、「実寸目盛」で読み取った「関心部位とＸ線検出器表面間」の距離から「Ｘ線管焦点と関心部位間」の距離を求めることができる。拡大率の算出は比による計算なので、前記２距離の測長時の目盛帯の傾斜が等しいので、前記２距離を別々に測定する従来の場合と比較して、拡大率の誤差を低減できる。
【図面の簡単な説明】
【００１９】
【図１】本考案における実施例のＸ線撮影装置の概要を示す。
【図２】本考案における実施例の巻尺の目盛帯の目盛表示状態を示す。
【図３】本考案における他の実施例の巻尺の目盛帯の目盛表示状態を示す。
【図４】本考案の巻尺による拡大率算出のための距離の測定状態を示す。
【図５】従来のＸ線撮影装置の概要を示す。
【図６】従来のＸ線撮影装置による拡大率算出のための距離の測定状態を示す。
【考案を実施するための形態】
【００２０】
図１は、本考案における実施例のＸ線撮影装置の概要を示したものである。また、図２に、本考案における実施例の巻尺の目盛帯の目盛表示状態を示す。図１に示すごとく、Ｘ線撮影装置１は、Ｘ線管焦点３ａを有するＸ線管３を懸架するＸ線管懸架装置２と、Ｘ線管３の前面に取り付けられたコリメータ４と、Ｘ線管３の下方に設置され、被検体５を載架する検診台６と、被検体５を透過したＸ線の画像を得るＸ線検出器７と、コリメータ４に取り付けられた測長用の巻尺８から構成される。
【００２１】
Ｘ線撮影では、照射時間・管電流値等の撮影条件設定のため、Ｘ線管焦点３ａから被検体５の表面または関心部位１０までの距離を把握する必要がある。そのためコリメータ４には、測長用の巻尺８が取り付けられている。図２に示すとおり、目盛帯９には、Ｘ線管焦点３ａから巻尺８の取付部位８ａまでの距離Ｄに相当する寸法を目盛帯９の先端から削除したオフセット目盛１１と、先端９ｃがゼロから始まる実寸目盛１２が目盛帯９の同一面にならべて表示されている。図２の例では、オフセット値は２０ｍｍである。
【００２２】
図１に示すごとく、Ｘ線管焦点３ａから被検体５の表面までの距離Ｚを測定するためには、目盛帯９を引き出して先端９ｃを被検体５に当接し、取付部位８ａの位置の目盛を「オフセット目盛」から読み取る。
【００２３】
関心部位１０までの距離の測定は、巻尺８から目盛帯９を引き出し、目盛帯９の先端９ｃを検診台６に当接させて、その時、関心部位１０の位置を目盛帯９の「実寸目盛」から直接読み取った値が、「関心部位高さ」Ｅである。
【００２４】
また、Ｘ線撮影では、図１に示すごとく被検体５の各部は実際の大きさより拡大されて撮影される。そのため、「実際の関心部位」の大きさＱを知るために拡大率αの算出を行う。「Ｘ線管焦点３ａと関心部位１０間」の距離Ａと「Ｘ線管焦点３ａとＸ線検出器７表面間」の距離Ｂの比が拡大率αである。「撮影画像上の関心部位」の大きさＰを用いると
α＝Ｂ／Ａ
Ｑ＝Ｐ／α  となる。
ただし、距離ＡまたはＢはＸ線管焦点３ａから検診台６またはＸ線検出器７表面に対して垂直な方向の寸法である。
【００２５】
図４は、本考案の巻尺による拡大率算出のための距離の測定状態を示したものである。まず巻尺８の目盛帯９ａを引き出し、目盛帯９ａの先端９ｃをＸ線検出器７表面に当接する。この際、目盛帯９ａは目測でほぼ垂直に引き出されるが、実際には傾斜が発生する可能性があるので傾斜を誇張して表示している。
【００２６】
この状態で、目盛帯９の「オフセット目盛」で「Ｘ線管焦点３ａとＸ線検出器７表面間」の距離Ｌを読み取り、「実寸目盛」で「関心部位１０とＸ線検出器７表面間」の距離Ｃを読み取る。次にこの読み取り値をもとに拡大率を求める。この拡大率α'と「撮影画像上の関心部位」の大きさＨを用いることで「実際の関心部位」の大きさＫが算出できる。なお、「Ｘ線管焦点３ａから取付部位８ａ」までの距離はＤ、傾斜した目盛帯９ａに沿って測定した「取付部位８ａとＸ線検出器７表面間」の距離はｈ、「Ｘ線管焦点３ａと関心部位１０間」の距離はＪ、および「Ｘ線管焦点３ａとＸ線検出器７表面間」の距離はＬである。
すなわち、α'＝Ｌ／（Ｌ−Ｃ）
Ｋ＝Ｈ／α'  となる。
【００２７】
ここで、拡大率α'を理論的な拡大率αと区別しているのは、「Ｘ線管焦点３ａと関心部位１０間」の距離Ｊと「Ｘ線管焦点３ａとＸ線検出器７表面間」の距離Ｌは、傾斜した目盛帯９ａに沿って測定した「取付部位８ａとＸ線検出器７表面間」の距離ｈを含んでいるため、拡大率は誤差を含んでいる。拡大率の算出は比による計算なので、前記２距離の測長時の目盛帯の傾斜が等しいので、前記２距離を別々に測定する前記の従来方法と比較して、拡大率の誤差を低減できる。
【００２８】
また、本考案のＸ線撮影装置による断層撮影（図示せず）では、検診台に平行な被検体の断層面を撮影する。その際、撮影したい断層面の高さ情報が必要となるため、検診台６表面と断層面間の距離が測定されるが、その測定方法は、図４に示した「Ｘ線管焦点３ａと関心部位１０間」の距離の測定の場合と同じである。
【００２９】
図３に、本考案における他の実施例の巻尺の目盛帯１９の目盛表示状態を示す。図示の通り、目盛帯１９の表側にはオフセット目盛１３、裏側には実寸目盛１４が表示される。
【００３０】
なお、図２および図３においては、オフセット目盛と実寸目盛を区別して容易に読み取り可能にすべく、字体および文字サイズに違いを付けて表示している。同様に、オフセット目盛と実寸目盛を、異なる文字色で表示してもよい。
【００３１】
なお、図１から図６において、同一符号で表示されているものは、同一物を表し、同じ機能を有するものである。
【符号の説明】
【００３２】
１、２１  Ｘ線撮影装置
２、２２  Ｘ線管懸架装置
３、２３  Ｘ線管
３ａ、２３ａ  Ｘ線管焦点
４、２４  コリメータ
５、２５  被検体
６、２６  検診台
７、２７  Ｘ線検出器
８、２８  巻尺
８ａ、２８ａ    取付部位
９、９ａ、１９、２９、２９ａ、２９ｂ  目盛帯
９ｃ、２９ｃ  先端
１０、３０  関心部位
１１、１３  オフセット目盛
１２、１４  実寸目盛
Ａ、Ｂ、Ｃ、Ｄ、Ｇ、Ｊ、Ｌ、Ｍ、Ｎ、Ｕ、Ｖ、Ｚ  距離
Ｅ、Ｆ  関心部位高さ
Ｈ、Ｋ、Ｐ、Ｑ、Ｒ、Ｔ、Ｗ、Ｙ  大きさ
ｈ、ｓ、ｋ  距離
α、α'、β、β'  拡大率
【図１】
0003177838.tif 000003
【図２】
0003177838.tif 000004
【図３】
0003177838.tif 000005
【図４】
0003177838.tif 000006
【図５】
0003177838.tif 000007
【図６】
0003177838.tif 000008